(57)【要約】【課題】  簡易に施工することができるとともに、断熱性能を保持しつつ、耐力壁としての性能を好適に発揮することができる外張断熱工法による家屋の壁構造及びその施工方法を提供する。【解決手段】  耐力面材１１の外面に断熱材１２を接合してなる複数の壁パネル１０を柱２２又は梁２３に釘で固定することで耐力壁して構成される外張断熱工法による家屋の壁構造であって、左右方向で他の壁パネルが隣接する壁パネル１０については、隣接する壁パネル１０同士の間において、上記断熱材１２による断熱層を連続させるために該断熱材同士は隙間なく突き合わせつつも、耐力壁としての性能を保つために上記耐力面材１１同士の間は隙間１３Ａを設けるべく、左右方向で上記断熱材１２の長さに比べ、上記耐力面材１１の長さが短く設定されている。【選択図】      図１
2015010399.tif 000002
【特許請求の範囲】
【請求項１】
耐力面材の外面に断熱材を接合してなる複数の壁パネルを柱又は梁に釘で固定することで耐力壁として構成される外張断熱工法による家屋の壁構造であって、
左右方向で他の壁パネルが隣接する壁パネルについては、隣接する壁パネル同士の間において、上記断熱材による断熱層を連続させるために該断熱材同士は隙間なく突き合わせつつも、耐力壁としての性能を保つために上記耐力面材同士の間は隙間を設けるべく、左右方向で上記断熱材の長さに比べ、上記耐力面材の長さが短く設定されている
ことを特徴とする外張断熱工法による家屋の壁構造。
【請求項２】
上記壁パネルは家屋の外側から上記断熱材を介して上記釘を打ち込むことで上記耐力面材を上記柱又は上記梁に固定して使用されるものであり、
上記釘には、上記家屋の柱又は梁へ打ち込まれたことを上記断熱材の外側から確認するために二重頭釘が使用される
請求項１に記載の外張断熱工法による家屋の壁構造。
【請求項３】
上記壁パネルには、上記釘の打ち込み位置を指示するべく、上記家屋の柱及び間柱のうち少なくとも一方と対応する位置に釘打指示手段が設けられている
請求項１又は請求項２に記載の外張断熱工法による家屋の壁構造。
【請求項４】
上記壁パネルには、家屋における該壁パネルの配設位置を示す配置指示手段が設けられている
請求項１から請求項３のうち何れか一項に記載の外張断熱工法による家屋の壁構造。
【請求項５】
上記壁パネルは、上記家屋の設計データに基づいたＣＡＤ／ＣＡＭ−システムを使用し、家屋上における配設位置を定めたうえで製造されたものである
請求項１から請求項４のうち何れか一項に記載の外張断熱工法による家屋の壁構造。
【請求項６】
請求項１から請求項５のうち何れか一項に記載の外張断熱工法による家屋の壁構造の施工方法であって、
一の壁パネルを定められた配設位置に配した後、左右方向で該一の壁パネルの断熱材に他の壁パネルの断熱材を接触させて、壁パネルの左右方向における位置合わせを行う
ことを特徴とする外張断熱工法による家屋の壁構造の施工方法。
【発明の詳細な説明】
【技術分野】
【０００１】
本発明は、外張り断熱工法による家屋の壁を構成する壁構造及びその施工方法に関するものである。
【背景技術】
【０００２】
家屋等といった木造の建築物では、保温効果の向上を図るために断熱材を用いて断熱性を付与している。近年の建築物では、該断熱材で略隙間なく外側を覆うことができるので断熱効果が高い、木軸組みの内側で結露が発生しないので耐久性が高い等の利点から、外張断熱工法が多く採用される。
通常の外張断熱工法による木造の建築物の壁構造は、屋外側から柱あるいは間柱の間に耐力面材を配し、該耐力面材を柱や間柱に釘で打ち付けた後、該耐力面材の外側に断熱材を貼り付けて構成される。つまり、通常の外張断熱工法による木造建築物の壁構造では、耐力面材を取り付ける作業と、断熱材を取り付ける作業の２つの作業を要し、これが施工作業を煩雑化している。
そこで、特許文献１から特許文献３には、施工作業の簡易化を図るべく、耐力面材と断熱材を一体化した壁パネルが提案されている。
【先行技術文献】
【特許文献】
【０００３】
【特許文献１】特開２００４−５２３６２号公報
【特許文献２】特開２００４−２８５７８１号公報
【特許文献３】特開２００５−２４８５６７号公報
【発明の開示】
【発明が解決しようとする課題】
【０００４】
ところが、上記従来の耐力面材と断熱材を一体化した壁パネルによって構成される耐力壁は、地震による揺れ等のような建築物に働く力に対してその性能を十分に発揮できない可能性があるという問題があった。
すなわち、上記従来の壁パネルは、施工後に上記耐力面材同士が隙間なく接触した状態となる。この耐力面材は、柱や梁等による木軸組みに釘打ちされて該木軸組みを固定することで、地震や風等による横方向からの力に耐えるための耐力壁を作る。但し、建築物に働く力の全てを該耐力壁で受けるような構成にしてしまうと、却って建築物の剛性が損なわれてしまうので、該耐力壁へ働く力をある程度逃がすことが出来る構成とすることが望ましい。そして、上記従来の壁パネルのように、耐力面材同士を隙間なく接触させてしまうと、該耐力壁へ働く力を逃がすことが困難になり、該耐力壁がその性能を十分に発揮することができなくなってしまう。
本発明は、このような従来技術に存在する問題点に着目してなされたものである。その目的とするところは、簡易に施工することができるとともに、断熱性能を保持しつつ、耐力壁としての性能を好適に発揮することができる外張断熱工法による家屋の壁構造及びその施工方法を提供することにある。
【課題を解決するための手段】
【０００５】
上記課題を解決するための手段として、請求項１に記載の外張断熱工法による家屋の壁構造の発明は、耐力面材の外面に断熱材を接合してなる複数の壁パネルを柱又は梁に釘で固定することで耐力壁として構成される外張断熱工法による家屋の壁構造であって、左右方向で他の壁パネルが隣接する壁パネルについては、隣接する壁パネル同士の間において、上記断熱材による断熱層を連続させるために該断熱材同士は隙間なく突き合わせつつも、耐力壁としての性能を保つために上記耐力面材同士の間は隙間を設けるべく、左右方向で上記断熱材の長さに比べ、上記耐力面材の長さが短く設定されていることを要旨とする。
請求項２に記載の発明は、請求項１に記載の外張断熱工法による家屋の壁構造の発明において、上記壁パネルは家屋の外側から上記断熱材を介して上記釘を打ち込むことで上記耐力面材を上記柱又は上記梁に固定して使用されるものであり、上記釘には、上記家屋の柱又は梁へ打ち込まれたことを上記断熱材の外側から確認するために二重頭釘が使用されることを要旨とする。
請求項３に記載の発明は、請求項１又は請求項２に記載の外張断熱工法による家屋の壁構造の発明において、上記壁パネルには、上記釘の打ち込み位置を指示するべく、上記家屋の柱及び間柱のうち少なくとも一方と対応する位置に釘打指示手段が設けられていることを要旨とする。
請求項４に記載の発明は、請求項１から請求項３のうち何れか一項に記載の外張断熱工法による家屋の壁構造の発明において、上記壁パネルには、家屋における該壁パネルの配設位置を示す配置指示手段が設けられていることを要旨とする。
請求項５に記載の発明は、請求項１から請求項４のうち何れか一項に記載の外張断熱工法による家屋の壁構造の発明において、上記壁パネルは、上記家屋の設計データに基づいたＣＡＤ／ＣＡＭ−システムを使用し、家屋上における配設位置を定めたうえで製造されたものであることを要旨とする。
請求項６に記載の発明は、請求項１から請求項５のうち何れか一項に記載の外張断熱工法による家屋の壁構造の施工方法であって、一の壁パネルを定められた配設位置に配した後、左右方向で該一の壁パネルの断熱材に他の壁パネルの断熱材を接触させて、壁パネルの左右方向における位置合わせを行うことを要旨とする。
【発明の効果】
【０００６】
〔作用〕
本発明の外張断熱工法による家屋の壁構造で使用する壁パネルは、耐力面材の外面に断熱材を接合して該耐力面材と該断熱材を一体化したものであり、該壁パネルを施工する作業のみで、該耐力面材による耐力壁と、該断熱材による断熱層の両方を設置することができ、施工作業の簡易化と工期の短縮化を図ることができる。更に該壁パネルは、家屋の壁上における左右方向で、断熱材の長さに比べ、耐力面材の長さが短く設定されている。このため、家屋の壁上における左右方向で複数の壁パネル相互を左右に突き合わせながら並設していくと、耐力面材同士の間に隙間を設けつつ、断熱材同士を隙間なく突き合わせて連続した断熱層を形成することができる。そして該耐力面材同士の間に設けられた隙間は、該耐力面材による耐力壁へ働く力を逃がすためのものとなる。従って、好適な断熱性能を保持しつつ、耐力壁としての性能を好適に発揮することができる壁構造を簡易な施工作業で得ることができる。
【０００７】
また通常の壁パネルは、耐力面材を柱又は梁に釘打ちして固定する場合、耐力面材の外側に断熱材が配されており、該断熱材を介して釘打ちを行うと、該釘の頭部が該断熱材の内部で止まってしまって該耐力面材をしっかりと固定することができない。このため該断熱材の一部を切除したり（特許文献１）、釘打ち部分に凹溝を設けて釘打ち後に該凹溝を桟木で塞いだり（特許文献２）、釘打ち部分を避けて断熱層を設けたり（特許文献３）するが、このような場合は断熱層が連続せずに断熱性能を低下させる。本発明の外張断熱工法による家屋の壁構造で使用する壁パネルにおいては、釘に二重頭釘を使用することにより、断熱材を介して耐力面材に釘を打ち込んだ場合に、該断熱材の外側からでも該耐力面材や柱又は梁への釘の打ち込み量を確認することができ、断熱性能を保持しつつ、壁パネルを好適に固定することができる。
また通常の壁パネルは、耐力面材を柱又は梁に釘打ちして固定する場合、耐力面材の外側に断熱材が配されているから、柱又は梁と耐力面材との位置関係が把握しづらく、釘の打ち込み位置を探すことが困難である。本発明の外張断熱工法による家屋の壁構造で使用する壁パネルにおいては、断熱材の外面に釘打指示手段を設けることにより、該釘打指示手段によって釘の打ち込み位置を探す手間を省くことが可能であり、釘打ち作業の簡易化と工期の短縮化を図ることができる。
また本発明の壁パネルは、家屋上における該壁パネルの配設位置を示す配置指示手段を設けられることにより、壁パネルの配設位置を迅速に把握することが可能となり、施工作業の短時間化を図ることができる。
またＣＡＤ／ＣＡＭ−システムによって製造された壁パネルを使用する家屋の壁構造は、該壁パネルを並べて敷設するのみで、耐力面材同士の間に所定の隙間を設けつつ、断熱材による断熱層が連続したものとなり、耐久性と断熱性に優れたものとなる。さらに、例えば建築現場で寸法を合わせて断熱材を削る等のような建築現場における煩雑な加工作業が必要ない。
本発明の外張断熱工法による家屋の壁構造の施工方法は、上記壁パネルを用い、左右方向で隣接する壁パネルの断熱材相互を接触させることで、該壁パネルの左右方向における位置合わせが行われるため、非常に簡易であり、耐久性と断熱性を保持しつつも、作業の簡易化と工期の短縮化とが図られている。
【０００８】
〔効果〕
本発明にあっては、簡易に施工することができるとともに、断熱性能を保持しつつ、耐力壁としての性能を好適に発揮することができる外張断熱工法による家屋の壁構造及びその施工方法を提供することが出来る。
【図面の簡単な説明】
【０００９】
【図１】実施例の壁パネルを示す（ａ）は外側から見た斜視図、（ｂ）は平面図。
【図２】壁パネルを木軸組みに取り付ける状態を示す正面図。
【図３】壁パネルを木軸組みに取り付けた状態を示す平断面図。
【図４】（ａ）は実施例の壁パネルを示す説明図、（ｂ）はの通常の壁パネルを示す説明図。
【発明を実施するための形態】
【００１０】
本発明を具体化した一実施形態について以下に説明する。
図１（ａ），（ｂ）に示すように、壁パネル１０は、耐力面材１１に断熱材１２を接合することによって、該耐力面材１１と該断熱材１２とを一体化して構成されたものである。該断熱材１２は、該耐力面材１１の両面のうち前記断熱材１２が接合される面の側を外側として、該耐力面材１１の外側から内側への伝熱を妨げることで、前記壁パネル１０に断熱性能を付与するためのものである。
上記耐力面材１１は、合板、中比重繊維板、ハードボード、火山性ガラス質板、パーティクルボード、木質セメント板、サーモプライ等のような、釘打ちによって固定可能な材料を使用し、矩形板状に形成されている。
上記断熱材１２は、家屋の外側から内側への伝熱を妨げるとともに、湿気を家屋の内側から外側へ逃がすために、多孔質材を使用して矩形板状に形成されている。該多孔質材としては、ポリスチレン発泡体、フェノール樹脂発泡体、ポリエチレン発泡体、ポリプロピレン発泡体、半硬質ポリウレタン発泡体、メラミン樹脂発泡体等のプラスチック発泡体が挙げられる。
【００１１】
上記壁パネル１０は左右方向（横幅方向）において、上記耐力面材１１の長さＷ１が、上記断熱材１２の長さＷ２に比べて、短く設定されている（Ｗ１＜Ｗ２）。従って、該壁パネル１０の側面には、該耐力面材１１の長さＷ１と該断熱材１２の長さＷ２との差に伴い、段差部１３が形成されている。
なお、上記壁パネル１０は上下方向（縦幅方向）において、上記耐力面材１１の長さと上記断熱材１２の長さとは同じ長さとされている。但し、上記した横幅方向と同様に上記耐力面材１１の長さを上記断熱材１２の長さに比べて短く設定し、上記壁パネル１０の上面部にのみ、上記した側面と同様の段差部を形成してもよい。
【００１２】
図２に示すように、家屋においては、基礎（図示略）の上に土台２１が固定され、該土台２１上に複数本の柱２２が所定間隔おきに立設され、さらに該柱２２上に梁２３が支持固定され、また必要であれば複数本の柱２２の間に間柱２４が設けられて、木軸組み２０が作られる。上記壁パネル１０は、前記耐力面材１１が該木軸組みに釘打ちされ、該木軸組みを固定することにより、地震や風等による横方向からの力に耐えるための耐力壁を作るとともに、該耐力壁の外側に前記断熱材１２が断熱層を形成することにより、外張断熱工法による家屋の壁構造を構成する。
上記壁パネル１０は、家屋の設計データに基づいたＣＡＤ／ＣＡＭ−システムを使用し、該家屋の壁面上で何れの位置に配置されるかを、つまり家屋上における配設位置を定めて製造されたものである。すなわち、該壁パネル１０の断熱材１２の長さ（横幅）Ｗ２は、家屋上での配設位置における一方の柱２２の中央から他方の柱２２の中央までの距離と一致するように設定されている。また該壁パネル１０の断熱材１２の高さ（縦幅）は、家屋上での配設位置において、該壁パネル１０の下端部が土台２１に被さり、かつ該壁パネル１０の上端部が梁２３に被さるような長さに設定されている。
【００１３】
上記壁パネル１０は、ＣＡＤ／ＣＡＭ−システムを使用し、家屋での配設位置を定めて製造されたものであるため、一棟の家屋に使用される全てが同じ構成になっているとは限らない。例えば、一部の壁パネル１０は、他の壁パネル１０よりも短い横幅や縦幅で形成されていたり、あるいは窓枠を取り付けるための孔が形成されていたりする場合がある。よって、定められた位置以外に壁パネル１０を取り付けようとすれば、土台２１、柱２２、梁２３あるいは間柱２４による木軸組み２０の位置がずれてしまい、該壁パネル１０を釘打ち固定して耐力壁を形成することができなくなる。そこで、該壁パネル１０には、下記の釘打位置指示手段や配置指示手段を設けることが望ましい。
【００１４】
上記壁パネル１０において、断熱材１２の外面には、土台２１、柱２２、梁２３あるいは間柱２４による木軸組み２０と対応する位置に、釘打位置指示手段としての指示線３１が付されている（図１（ａ）参照）。
すなわち、図２に示すように、該壁パネル１０にあっては、前記耐力面材１１よりも前記断熱材１２が外側に配されるため、木軸組み２０上に該壁パネル１０を配すると外部から土台２１、柱２２、梁２３あるいは間柱２４による木軸組み２０の位置が分からなくなる。該指示線３１は、前記断熱材１２が外側に配されたままの状態にあって、該木軸組み２０の位置を示すことで、作業者に釘打位置を明確に認識させるためのものである。
上記指示線３１は、ＣＡＤ／ＣＡＭ−システムを使用した前記壁パネル１０の製造時に印刷されることで、該木軸組み２０の位置に正確に対応する。よって、該指示線３１に従って釘を打ち込むことで、前記壁パネル１０の耐力面材１１を木軸組み２０に確実に釘打ちすることが可能である。
なお、該釘打位置指示手段は、指示線３１に限らず、外部から垂木の位置を示すことが可能であれば、浅溝や色付けや点描等としてもよい。また該指示線３１は、釘を打つ間隔に応じて途切れる鎖線とすることで、釘を打つ間隔を指示することも可能である。
【００１５】
ここで、図３に示すように、上記壁パネル１０は木軸組み２０に対して、家屋の外側から上記断熱材１２を介して釘を打ち込んで固定されており、該釘には二重頭釘３２が使用される。該二重頭釘３２は、下側釘頭３２ａと、該下側釘頭３２ａの上部に更に上側釘頭３２ｂとを有している。
上記したように該壁パネル１０にあっては、前記耐力面材１１よりも前記断熱材１２が外側に配されるため、通常の一重頭釘を使用した場合、断熱材１２を介して釘を打ち込むと、該釘が柱２２や梁２３へ打ち込まれていることを確認することができず、該釘が該断熱材１２の内部で止まってしまう可能性がある。また通常の一重頭釘を使用した場合、該断熱材１２を介して該釘が柱２２や梁２３へ打ち込まれていたとしても、上記のように該断熱材１２の材料にはプラスチック発泡体が使用されていることから、前記耐力面材１１を柱２２や梁２３に釘打ちすることに比べて固定力が弱い。
下側釘頭３２ａと上側釘頭３２ｂを有する二重頭釘３２を使用する場合、該上側釘頭３２ｂは、壁パネル１０を固定するためのものではなく、下側釘頭３２ａが前記耐力面材１１の表面に達していることを示す指標とされる。つまり、二重頭釘３２において下側釘頭３２ａから上側釘頭３２ｂまでの長さを断熱材１２の厚みに応じた長さとしておくことで、該上側釘頭３２ｂが断熱材１２の表面に達していることを確認すれば、下側釘頭３２ａは前記耐力面材１１の表面に達しており、また柱２２や梁２３に釘が打ち込まれたことになる。
【００１６】
上記壁パネル１０において、断熱材１２の外面には、家屋上における該壁パネル１０の配設位置を示す配置指示手段としての番号３３が付されている。該番号３３は、壁パネル１０を木軸組み２０上に敷設していく際に、取り付ける順番を示すことで、該壁パネル１０の配設位置を表している。
つまり、木軸組み２０上で壁パネル１０の敷設を開始する始点は決められており、該始点から該番号３３に従って壁パネル１０を順に取り付けていくことで、自ずと壁パネル１０を定められた位置に配設することが可能である。該番号３３は、ＣＡＤ／ＣＡＭ−システムを使用した前記壁パネル１０の製造時に印刷される。
なお、該配置指示手段は、番号３３に限らず、壁パネル１０の配設位置を示すことが可能であれば、アルファベットや図やシール等としてもよい。
【００１７】
上記壁パネル１０の敷設作業は、上記木軸組み２０上の始点から前記番号３３に従って該壁パネル１０を配置するとともに、互いの断熱材１２を接触させることによって、該壁パネル１０の左右方向における位置合わせを行う。そして、上記二重頭釘３２を使用し、該壁パネル１０を上記木軸組み２０に固定する。該木軸組み２０に固定された該壁パネル１０は、図３に示すように、左右方向で互いの断熱材１２が接触し、隙間なく突き合わされていることから、該断熱材１２による断熱層が連続したものとなる。
一方、該壁パネル１０の前記耐力面材１１においては、左右方向に隣接する壁パネル１０相互の段差部１３が合わさることで、耐力面材１１同士の間に隙間１３Ａを形成する（図３参照）。該隙間１３Ａは、該耐力面材１１によって作られる耐力壁としての性能を保つためのものとなる。すなわち、図４（ａ）に示すように、風や地震による揺れ等によって横方向から力Ｆが加わる場合、隙間１３Ａが設けてあることで、左右の耐力面材１１による耐力壁は、余計な負荷が加わることなく力Ｆに耐え、その性能を好適に発揮する。図４（ｂ）に示すように、通常の隙間１３Ａを設けずに左右方向の耐力面材１１を接触させた耐力壁は、横方向から力Ｆが加わると、接触した耐力面材１１同士の間に歪みによる負荷が発生し、耐力壁がその性能を十分に発揮出来ない。従って、該隙間１３Ａは、横方向から力Ｆが加わる場合に、耐力面材１１同士の接触による負荷を逃がす機能を奏し、該耐力面材１１によって作られる耐力壁としての性能を保つ。
【産業上の利用可能性】
【００１８】
本発明の外張断熱工法による家屋の壁構造及びその施工方法にあっては、簡易に施工することができるとともに、断熱性能を保持しつつ、耐力壁としての性能を好適に発揮することができるので、産業上利用可能である。
【符号の説明】
【００１９】
１０      壁パネル
１１      耐力面材
１２      断熱材
１３Ａ    隙間
２２      柱
２３      梁
３１      指示線
３２      二重頭釘
３３      番号
【図１】
2015010399.tif 000003
【図２】
2015010399.tif 000004
【図３】
2015010399.tif 000005
【図４】
2015010399.tif 000006